(57)【要約】【課題】コネクタに従来の汎用品を用いて、フレキシブル配線基板をコネクタから抜けにくくすると共に、フレキシブル配線基板がコネクタに確実に差し込まれたかどうかを確認できるようにする。【解決手段】コネクタ２が設けられた回路基板１とコネクタ２に一端部が挿入されるフレキシブル配線基板４との接続構造であって、回路基板１に係止部３２が設けられ、フレキシブル配線基板４に、フレキシブル配線基板４の一端部がコネクタ２に挿入されたときに係止部３２に係止される被係止部４２が設けられている。【選択図】図１
2011054455.tif 000002
【特許請求の範囲】
【請求項１】
コネクタが設けられた回路基板と前記コネクタに一端部が挿入されるフレキシブル配線基板との接続構造であって、
前記回路基板に係止部が設けられ、
前記フレキシブル配線基板に、前記フレキシブル配線基板の一端部が前記コネクタに挿入されたときに前記係止部に係止される被係止部が設けられていることを特徴とする回路基板とフレキシブル配線基板との接続構造。
【請求項２】
一の面に前記回路基板を固定する固定部が設けられた機器筐体を更に備え、
前記回路基板に前記固定部によって係止される第２被係止部が設けられ、
前記回路基板が前記機器筐体に固定されると、前記固定部が前記第２被係止部と係合することによって、前記固定部が前記係止部となることを特徴とする請求項１に記載の回路基板とフレキシブル配線基板との接続構造。
【請求項３】
前記固定部は前記機器筐体に形成されたボスであり、前記第２被係止部は前記回路基板に形成された孔、凸部または切り欠きのいずれかであることを特徴とする請求項２に記載の回路基板とフレキシブル配線基板との接続構造。
【請求項４】
前記回路基板の、前記コネクタが設けられる側の面上に配置された部品が前記係止部を兼ねていることを特徴とする請求項１に記載の回路基板とフレキシブル配線基板との接続構造。
【請求項５】
前記部品は、前記回路基板の面上に積層された他の回路基板を支持するピンであることを特徴とする請求項４に記載の回路基板とフレキシブル配線基板との接続構造。
【請求項６】
前記フレキシブル配線基板は、互いに重ね合わされる一対の絶縁膜と該一対の絶縁膜の間に介在され該一対の絶縁膜によって固定され互いに並べて配列された複数の配線とを含み、
前記複数の配線は前記フレキシブル配線基板が前記コネクタに挿入されたときに該コネクタの複数の端子とそれぞれ接続される複数の接続端子を有し、
前記フレキシブル配線基板には、前記複数の接続端子が設けられた端子領域が該フレキシブル配線基板の前記一端部に形成され、前記複数の配線のうち前記複数の接続端子を除く部分が設けられた配線領域が前記端子領域に隣接する領域に形成され、
前記配線領域は、前記複数の配線の中で少なくとも２つの配線のうち前記複数の配線の配列方向において最も端に形成された第１配線ともう一方の最も端に形成された第２配線とが所定距離だけ離間した第１配線領域と、前記第１配線と前記第２配線とが前記所定距離よりも短い距離だけ離間した第２配線領域とを有し、
前記被係止部は、前記配列方向において、前記第２配線領域の前記第１配線に対して前記第２配線領域の前記第２配線が配置された側とは反対側、または、前記配列方向において、前記第２配線領域の前記第２配線に対して前記第２配線領域の前記第１配線が配置された側とは反対側に、前記一対の絶縁膜に形成されていることを特徴とする請求項１から５の何れか一項に記載の回路基板とフレキシブル配線基板との接続構造。
【請求項７】
前記第１配線は前記複数の配線のうち前記一対の絶縁膜の前記配列方向の側端部に最も近接して形成された配線であり、
前記被係止部は、前記第１配線と前記側端部との間に形成されていることを特徴とする請求項６に記載の回路基板とフレキシブル配線基板との接続構造。
【請求項８】
前記複数の配線は、前記少なくとも２つの配線と、前記複数の配線のうち前記少なくとも２つの配線を除く残りの少なくとも１つの配線を含み、
前記第１配線は前記少なくとも２つの配線のうち、前記配列方向において前記少なくとも１つの配線に最も近接して形成された配線であり、
前記被係止部は、前記第１配線と前記少なくとも１つの配線のうち前記少なくとも２つの配線に最も近接して配置された配線との間に、前記一対の絶縁膜に形成されていることを特徴とする請求項６に記載の回路基板とフレキシブル配線基板との接続構造。
【請求項９】
前記被係止部は、前記一対の絶縁膜の前記側端部に形成された切り欠きを含むことを特徴とする請求項６または７に記載の回路基板とフレキシブル配線基板との接続構造。
【請求項１０】
前記被係止部は、前記一対の絶縁膜に形成された孔を含むことを特徴とする請求項６から９の何れか一項に記載の回路基板とフレキシブル配線基板との接続構造。
【請求項１１】
前記被係止部は、前記一対の絶縁膜の前記側端部に形成された凸部を含むことを特徴とする請求項６から１０の何れか一項に記載の回路基板とフレキシブル配線基板との接続構造。
【発明の詳細な説明】
【技術分野】
【０００１】
本発明は、フレキシブル配線基板をコネクタに接続するフレキシブル配線基板の接続構造に関する。
【背景技術】
【０００２】
従来のフレキシブル配線基板（以下ＦＰＣ）をコネクタに接続する構造においては、回路基板（２１）に取り付けられたコネクタ（２２）に突起（２７）を形成し、ＦＰＣ（２３）に係止部（２８）を形成していた（特許文献１参照）。こうすることで、コネクタにＦＰＣが差し込まれると、係止部が突起に係止されるので、ＦＰＣがコネクタから抜けにくくなるだけでなく、ＦＰＣが確実にコネクタに差し込まれたかどうかを確認できる。
【先行技術文献】
【特許文献】
【０００３】
【特許文献１】特開平９−１２９３２３号公報
【発明の概要】
【発明が解決しようとする課題】
【０００４】
しかし、突起付きのコネクタは、従来の汎用品に比べて流通量が少ないため、入手が困難である。また、このコネクタは高価であるため、電子機器の製造コストが上がってしまう。
そこで、本発明が解決しようとする課題は、コネクタに従来の汎用品を用いたとしても、ＦＰＣをコネクタから抜けにくくすると共に、ＦＰＣがコネクタに確実に差し込まれたかどうかを確認できるようにすることである。
【課題を解決するための手段】
【０００５】
以上の課題を解決するため、本発明の一の態様によれば、
コネクタが設けられた回路基板と前記コネクタに一端部が挿入されるフレキシブル配線基板との接続構造であって、
前記回路基板に係止部が設けられ、
前記フレキシブル配線基板に、前記フレキシブル配線基板の一端部が前記コネクタに挿入されたときに前記係止部に係止される被係止部が設けられていることを特徴とする回路基板とフレキシブル配線基板との接続構造が提供される。
【０００６】
好ましくは、一の面に前記回路基板を固定する固定部が設けられた機器筐体を更に備え、前記回路基板に前記固定部によって係止される第２被係止部が設けられ、前記回路基板が前記機器筐体に固定されると、前記固定部が前記第２被係止部と係合することによって、前記固定部が前記係止部となる。
好ましくは、前記固定部は前記機器筐体に形成されたボスであり、前記第２被係止部は前記回路基板に形成された孔、凸部または切り欠きのいずれかである。
好ましくは、前記回路基板の、前記コネクタが設けられる側の面上に配置された部品が前記係止部を兼ねている。
好ましくは、前記部品は、前記回路基板の面上に積層された他の回路基板を支持するピンである。
好ましくは、前記フレキシブル配線基板は、互いに重ね合わされる一対の絶縁膜と該一対の絶縁膜の間に介在され該一対の絶縁膜によって固定され互いに並べて配列された複数の配線とを含み、前記複数の配線は前記フレキシブル配線基板が前記コネクタに挿入されたときに該コネクタの複数の端子とそれぞれ接続される複数の接続端子を有し、前記フレキシブル配線基板には、前記複数の接続端子が設けられた端子領域が該フレキシブル配線基板の前記一端部に形成され、前記複数の配線のうち前記複数の接続端子を除く部分が設けられた配線領域が前記端子領域に隣接する領域に形成され、前記配線領域は、前記複数の配線の中で少なくとも２つの配線のうち前記複数の配線の配列方向において最も端に形成された第１配線ともう一方の最も端に形成された第２配線とが所定距離だけ離間した第１配線領域と、前記第１配線と前記第２配線とが前記所定距離よりも短い距離だけ離間した第２配線領域とを有し、前記被係止部は、前記配列方向において、前記第２配線領域の前記第１配線に対して前記第２配線領域の前記第２配線が配置された側とは反対側、または、前記配列方向において、前記第２配線領域の前記第２配線に対して前記第２配線領域の前記第１配線が配置された側とは反対側に、前記一対の絶縁膜に形成されている。
好ましくは、前記第１配線は前記複数の配線のうち前記一対の絶縁膜の前記配列方向の側端部に最も近接して形成された配線であり、前記被係止部は、前記第１配線と前記側端部との間に形成されている。
好ましくは、前記複数の配線は、前記少なくとも２つの配線と、前記複数の配線のうち前記少なくとも２つの配線を除く残りの少なくとも１つの配線を含み、前記第１配線は前記少なくとも２つの配線のうち、前記配列方向において前記少なくとも１つの配線に最も近接して形成された配線であり、前記被係止部は、前記第１配線と前記少なくとも１つの配線のうち前記少なくとも２つの配線に最も近接して配置された配線との間に、前記一対の絶縁膜に形成されている。
好ましくは、前記被係止部は、前記一対の絶縁膜の前記側端部に形成された切り欠きを含む。
好ましくは、前記被係止部は、前記一対の絶縁膜に形成された孔を含む。
好ましくは、前記被係止部は、前記一対の絶縁膜の前記側端部に形成された凸部を含む。
【発明の効果】
【０００７】
本発明によれば、コネクタが従来の汎用品であっても、回路基板に設けられた係止部がＦＰＣに設けられた被係止部を係止することにより、ＦＰＣをコネクタから抜けにくくすることができる。また、ＦＰＣがコネクタに差し込まれたときに被係止部が係止部に係止されるので、ＦＰＣがコネクタに確実に差し込まれたかどうかを容易に確認できる。
【図面の簡単な説明】
【０００８】
【図１】本発明の第１実施形態におけるフレキシブル配線基板の接続構造を示した斜視図である。
【図２】同実施形態における回路基板、コネクタ及び筐体を示した分解斜視図である。
【図３】同実施形態における回路基板、コネクタ、筐体及びＦＰＣを示した分解斜視図である。
【図４】同実施形態の変形例を示した斜視図である。
【図５】同実施形態の変形例を示した斜視図である。
【図６】図４に示した変形例で使用されるＦＰＣを示した正面図である。
【図７】図５に示した変形例で使用されるＦＰＣを示した正面図である。
【図８】同実施形態の変形例を示した斜視図である。
【図９】図７に示した変形例で使用されるＦＰＣを示した正面図である。
【図１０】本発明の第２実施形態におけるフレキシブル配線基板の接続構造を示した斜視図である。
【図１１】同実施形態における回路基板、コネクタ及びピンを示した分解斜視図である。
【図１２】同実施形態の変形例を示した斜視図である。
【発明を実施するための形態】
【０００９】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１０】
＜第１実施形態＞
図１は、本発明の第１実施形態におけるフレキシブル配線基板の接続構造の斜視図である。このフレキシブル配線基板の接続構造は、図１に示されるように、回路基板１と、回路基板１の面上に設けられたコネクタ２と、回路基板１を収納する機器筐体３と、コネクタ２に差し込まれるＦＰＣ４とを含む。なお、図１〜図５及び図８は回路基板１の周縁部のみを示しており、符号１１は回路基板１の一端部である。また、機器筐体３も回路基板１の周縁部に対応する一部分のみを示している。
回路基板１の表面には、銅箔等の導体により図示しない回路パターンが形成され、その回路パターン上にはＩＣチップ、抵抗器、コンデンサ等の電子部品１０６（図１２に図示）が実装されている。回路基板１の一端部１１付近には、図１、図２等に示すように円形の孔１２が形成されている。孔１２は、回路基板１の回路パターンや電子部品１０６の機能を妨げない部分に２箇所形成されている。二つの孔１２を挟んで一端部１１とは反対側には、コネクタ２を実装するためのスペースが設けられている。
【００１１】
コネクタ２は、回路基板１とＦＰＣ４とを接続するものである。また、コネクタ２は、一般的に流通している汎用品であり（例えば、ヒロセ電機ＦＨ１２）、図２に示すように、ハウジング２１と、複数の端子２２と、カバー２３とを有している。コネクタ２のハウジング２１は、端子２２が形成される上面視略矩形の端子保持部２１ａと、複数の端子２２が配列された方向に沿って形成された第１の壁部およびこの第１の壁部の両端部から各端子が延伸する方向に沿って形成された一対の第２の壁部を有するとともに端子保持部２１ａの周囲を三方から囲む上面視略コ字状の周囲部２１ｂとからなり、これらは樹脂等で形成されている。略矩形の端子保持部２１ａのうち端子保持部２１ａに対して２つの孔１２が配置された側の辺に対応する部分、即ち周囲部２１ｂの開放されている側がコネクタ２の差込口となる。また、端子保持部２１ａの奥行き（端子２２の延伸方向に沿う方向の幅）はＦＰＣ４の差込長となる。端子２２は、金メッキが施された銅線等によって端子保持部２１ａの上に複数本平行に形成されている。カバー２３は、端子２２とでＦＰＣ４を挟む板状の部材で、周囲部２１ｂの第１の壁部に沿って配置され、一対の第２の壁部の間に、ハウジング２１に対して開閉可能に取り付けられている。
【００１２】
ハウジング２１は、周囲部２１ｂの開放されている側を回路基板１の孔１２の方向に配置した状態で前述した回路基板１のスペース上に固定されている。このため、コネクタ２の差込口は孔１２の方向を向いている。また、周囲部２１ｂはその両端部が、図３に示すように回路基板１の孔１２から所定間隔Ｗ１だけ離間した状態でそれぞれ配置されている。各端子２２は、回路基板１の各回路パターンにそれぞれ導通している。
【００１３】
機器筐体３は、回路基板１を内部に収納すると共に回路基板１を固定するものである。機器筐体３は、ケース３１と、ケース３１の内面に形成されたボス３２とを備えている。ボス３２は、回路基板１をケース３１に固定する固定部であり、ケース３１の内面に対して垂直に立てられている。また、ボス３２は円柱状をしており、その太さは回路基板１の孔１２の直径とほぼ等しく、その直径よりも大きくない。二本のボス３２どうしの間隔は、二つの孔１２どうしの間隔と等しくなっている。
【００１４】
ＦＰＣ４は、回路基板１と図示しない各種デバイスとを接続するもので、図３に示すように、帯状の本体４１と、本体４１の後述する複数の配線４４の配列方向における両側端部に形成された矩形の凸部４２とを有している。本体４１は、ポリイミド等の樹脂からなる略帯状で上下一対の絶縁膜４３と、銅箔等の導体からなり一対の絶縁膜４３に挟まれて固定され互いに並べて配列された複数の配線４４からなる。複数の配線４４の各配線は、絶縁膜４３のうちコネクタ２に挿入される側の端部である先端部から、複数の配線４４の延伸方向において先端部とは反対側の端部である基端部の方向へと延びている。本体４１の幅方向（図３の複数の配線４４の配列方向）の長さは、回路基板１の二つの孔１２どうしの間隔とほぼ等しくなっている。本体４１の先端部には、コネクタ２の複数の端子２２とそれぞれ接触する複数の端子４５が形成されている。各端子４５は、複数の配線４４の各配線とそれぞれ一体に形成されている。
【００１５】
凸部４２は、本体４１から絶縁膜４３を引き伸ばすことにより形成され、本体４１の幅方向に沿って、本体４１に対して外側に向かって突出している。ＦＰＣ４の先端から凸部４２までの距離は、コネクタ２の端子保持部２１ａの奥行き（コネクタ２の差込長）とほぼ等しい。凸部４２のうち当該凸部４２の突出方向に直交する方向の幅Ｗ２は、コネクタ２の周囲部２１ｂと孔１２との距離（間隔Ｗ１）とほぼ等しく、その距離よりは大きくない。
【００１６】
回路基板１が機器筐体３に取り付けられると、二つのボス３２が回路基板１の二つの孔１２にそれぞれ挿通される。孔１２は、ボス３２が挿通されることによって、回路基板１を機器筐体３に固定する際の第２の被係止部として機能する。ボス３２は、孔１２を挿通することによって、回路基板１のうちコネクタ２が取り付けられた側の面上にそれぞれ突出して、ＦＰＣ４を回路基板１に固定する際の係止部として機能する。周囲部２１ｂの一対の第２の壁部のうち一端部１１側を向く面は、ボス３２と所定間隔（距離Ｗ１とほぼ等しい）だけ離間した状態でそれぞれ配置されている。
【００１７】
ＦＰＣ４の先端部が回路基板１のコネクタ２の奥まで差し込まれると、コネクタ２の端子２２とＦＰＣ４の端子４５がそれぞれ接触して、回路基板１の回路と複数の配線４４とが導通する。また、ＦＰＣ４の凸部４２がコネクタ２の周囲部２１ｂとボス３２との間に挟まれる。このとき、凸部４２は、回路基板１の一面上に突出したボス３２と当接することによって、ＦＰＣ４を回路基板１に固定する際の被係止部として機能する。コネクタ２のカバー２３を閉じると、ＦＰＣ４の先端部がカバー２３の内面と端子２２との間に挟まれて、端子４５が端子２２に押さえつけられ、端子４５，２２間を確実に導通することができる。このようにしてＦＰＣ４がコネクタ２に接続される。
【００１８】
（第１実施形態の変形例）
図４、図５は、第１実施形態の変形例を示す斜視図である。ＦＰＣ４に形成される被係止部は、必ずしも凸部４２のように本体４１の幅方向に沿って、本体４１に対して外側に向かって突出したものである必要はない。図４に示す変形例では、ＦＰＣ４の両側端部に、被係止部として切り欠き４６がそれぞれ形成されている。切り欠き４６は、一辺の長さがボス３２の直径とほぼ等しく、当該ボス３２の直径よりも小さくない正方形又は矩形をしている。ＦＰＣ４の先端から切り欠き４６までの距離は、コネクタ２の差込長とほぼ等しい。回路基板１の二つの孔１２及び機器筐体３の二つのボス３２は、前述の実施例と比べると、孔１２の直径分だけ互いに近づく方向にそれぞれ移動して形成されている。そして、切り欠き４６は、回路基板１の一面上に突出したボス３２と当接することによって、ＦＰＣ４を回路基板１に固定する際の被係止部として機能する。
【００１９】
また、図５に示す変形例では、ＦＰＣ４の両側端部よりもやや中央よりの二箇所に、被係止部として二つの孔４７がそれぞれ形成されている。孔４７は、ボス３２の直径とほぼ等しく当該ボス３２の直径よりも小さくない直径の円形をしている。ＦＰＣ４の先端から孔４７までの距離は、コネクタ２の差込長とほぼ等しい。二つの孔１２及び二つのボス３２は、前述の変形例と比べると、更に互いに近づく方向にそれぞれ移動して形成されている。そして、孔４７は、回路基板１の一面上に突出したボス３２が挿通されて当接することによって、ＦＰＣ４を回路基板１に固定する際の被係止部として機能する。
【００２０】
図６は、図４に示した変形例で使用されるＦＰＣ４を示した正面図であり、図７は、図５に示した変形例で使用されるＦＰＣ４を示した正面図である。ＦＰＣ４の端子４５は、複数の配線４４の各配線よりも太く形成されている。このため、ＦＰＣ４の先端部付近においては、複数の配線４４の隣り合う配線どうしの間隔が広く、複数の配線４４のうち当該複数の配線４４が並べて配列された配列方向において最も端に形成された第１配線４４ａともう一方の最も端に形成された第２配線４４ｂとが第１の所定間隔だけ離間した状態となっている。このＦＰＣ４の先端部付近において、第１配線４４ａと第２配線４４ｂとが第１の所定間隔だけ離間した領域で且つ第１配線４４ａと第２配線４４ｂとの間の領域を第１配線領域４ａと称する。また、ＦＰＣ４の先端部以外の箇所では、複数の配線４４の隣り合う配線どうしの間隔が狭められ、第１配線４４ａと第２配線４４ｂとが第１の所定間隔よりも小さい第２の所定間隔だけ離間した状態となっている。このＦＰＣ４の先端部以外の箇所において、第１配線４４ａと第２配線４４ｂとが第２の所定間隔だけ離間した領域で且つ第１配線４４ａと第２配線４４ｂとの間の領域を第２配線領域４ｂと称する。本体４１は帯状であり、先端部から基端部にかけて同じ幅となっているので、本体４１のうち第２配線領域４ｂと本体４１の側端部との間には、一対の絶縁膜４３の間に配線が介在されず一対の絶縁膜４３のみが存在する部分がある。この部分に切り欠き４６や孔４７が形成されている。そして、切り欠き４６や孔４７は、回路基板１の一面上に突出したボス３２が挿通されて、当該ボス３２と当接することによって、ＦＰＣ４を回路基板１に固定する際の被係止部として機能する。
【００２１】
図８は、第１実施形態のもう一つの変形例を示す斜視図である。この変形例では、ＦＰＣ４の中央部に、被係止部として一つの孔４７が形成されている。孔４７は、ボス３２の直径とほぼ等しく、当該ボス３２の直径よりも小さくない直径の円形をしている。孔１２及びボス３２は、周囲部２１ｂのうちコネクタ２の差込口と回路基板１の一端部１１との間にそれぞれ一つずつ形成されている。そして、孔４７は、回路基板１の一面上に突出したボス３２が挿通されて、当該ボス３２と当接することによって、ＦＰＣ４を回路基板１に固定する際の被係止部として機能する。
【００２２】
図９は、図８に示した変形例で使用されるＦＰＣ４を示したものである。本変形例では複数の配線４４は、二つの配線群に分けられている。複数の配線４４のうち当該複数の配線４４が並べて配列された配列方向において最も端に形成された配線を含めて当該配線から半数分を第１の複数の配線４４ｃ、残りを第２の複数の配線４４ｄと称する。第１の複数の配線４４ｃまたは第２の複数の配線４４ｄのうち、各複数の配線の配列方向において両端にそれぞれ形成された一対の配線どうしの間隔が、ＦＰＣ４の本体４１の先端部と基端部との間の所定領域において、ＦＰＣ４の本体４１のうちの所定領域を除く他の領域における一対の配線どうしの間隔よりも狭められている。このＦＰＣ４の本体４１の所定領域において、第１の複数の配線４４ｃまたは第２の複数の配線４４ｄの両端の一対の配線間の間隔が狭められた領域で且つ当該両端の一対の配線どうしの間の領域を第２配線領域４ｂと称する。また、このＦＰＣ４の本体４１の所定領域を除く領域で且つ第１の複数の配線４４ｃまたは第２の複数の配線４４ｄの両端の一対の配線どうしの間の領域を第１配線領域４ａと称する。そして、第２配線領域４ｂにおける第１の複数の配線４４ｃは、本体４１の一方の側端部に寄って形成され、第２配線領域４ｂにおける第２の複数の配線４４ｄは、本体４１の他方の側端部に寄って形成されている。このため、第２配線領域４ｂにおける第１の複数の配線４４ｃの両端の一対の配線のうち第２配線領域４ｂにおける第２の複数の配線４４ｄにより近い側の配線と、第２配線領域４ｂにおける第２の複数の配線４４ｄの両端にそれぞれ形成された一対の配線のうち第２配線領域４ｂにおける第１の複数の配線４４ｃにより近い側の配線とは、第１配線領域４ａにおける第１の複数の配線４４ｃの両端の一対の配線のうち第１配線領域４ａにおける第２の複数の配線４４ｄにより近い側の配線と、第１配線領域４ａにおける第２の複数の配線４４ｄの両端にそれぞれ形成された一対の配線のうち第１配線領域４ａにおける第１の複数の配線４４ｃにより近い側の配線との距離よりも、互いに離間して配置されている。そして、その間には配線が形成されていない絶縁膜４３のみの部分が存在している。この部分に孔４７が形成されている。
【００２３】
本実施形態によれば、コネクタ２が従来の汎用品であっても、回路基板１から突出させたボス３２が凸部４２を係止することにより、ＦＰＣ４をコネクタ２から抜けにくくすることができる。また、ＦＰＣ４がコネクタ２の奥まで差し込まれたときに凸部４２がボス３２に係止されるので、ＦＰＣ４がコネクタ２に確実に差し込まれたかどうかを容易に確認できる。
更に、回路基板１固定用のボス３２を係止部としたことにより、係止部として専用の部品を必要とせずにＦＰＣ４をコネクタ２に係止することができる。
更に、ＦＰＣ４の本体４１の第２の配線領域４ｂと本体４１の側端部との間に残された絶縁膜４３に、切り欠き４６や孔４７を形成することにより、ＦＰＣ４の製造時に切り取られて捨てられるだけであった絶縁膜４３を有効活用することができ、また、ＦＰＣ４を形成する絶縁膜４３の材料を効率的に利用することができる。
更に、第１の複数の配線４４ｃの第２配線領域４ｂと第２の複数の配線４４ｄの第２配線領域４ｂとの間に孔４７を形成することにより、回路基板１のレイアウト上、ボス３２の形成位置が制限されていても、孔４７をボス３２の位置に応じて比較的自由に移動させることができる。
【００２４】
＜第２実施形態＞
図１０は、本発明の第２実施形態におけるフレキシブル配線基板の接続構造の斜視図である。このフレキシブル配線基板の接続構造は、図１０に示されるように、機器筐体３を係止部として用いないため、回路基板１０１にはボス３２を通すための孔１２が形成されていない。その代わりに、係止部としてピン１３１が設けられている。なお、コネクタ１０２、ＦＰＣ１０４は第１実施形態と同様の構成である。ピン１３１は、図１１に示すように、回路基板１０１のコネクタ１０２が取り付けられている面上であって、第１実施形態の孔１２と同じ位置に取り付けられている。ピン１３１の取り付けは、半田付けや接着等で行う。
【００２５】
ピン１３１は、回路基板１０１に積層される他の回路基板１０５を支持するのに用いるものである。ピン１３１の凸部１３１ａを、他の回路基板１０５に形成された孔１０５ａに嵌め込むことにより、他の回路基板１０５が、図１０に示すように、回路基板１０１の上に所定間隔離間して積層される。
【００２６】
ＦＰＣ１０４がコネクタ１０２の奥まで差し込まれると、ＦＰＣ１０４の凸部１４２がコネクタ１０２の側部とピン１３１との間に挟まれる。このとき凸部１４２は、ピン１３１によって係止される被係止部として機能し、ＦＰＣ１０４が回路基板１０１に係止される。このようにしてＦＰＣ１０４がコネクタ１０２に接続される。
【００２７】
（第２実施形態の変形例）
なお、ＦＰＣ１０４に形成する被係止部は、第１実施形態と同様に、必ずしも凸部１４２のように本体１４１の外側に向かって突出したものである必要はない。ＦＰＣ１０４に図４〜図７で示したような切り欠き４６又は孔４７を形成し、回路基板１０１上の対応する位置にピン１３１を取り付け、ピン１３１に切り欠き４６又は孔４７を係止させることもできる。
また、回路基板１０１のレイアウト上可能であれば、回路基板１０１に実装された電子部品１０６を係止部として兼用させることができる。図１２に示す変形例では、電子部品１０６が、回路基板１０１のコネクタ１０２が取り付けられている面上であって、前述した実施形態の孔１２と同じ位置に取り付けられている。そして、ＦＰＣ１０４の凸部１４２がコネクタ１０２と電子部品１０６との間に挟まれ、電子部品１０６が凸部１４２を係止している。
【００２８】
本実施形態によれば、ピン１３１や電子部品１０６が係止部を兼ねるので、部品数を増やすことなくＦＰＣ１０４を係止させることができる。また、回路基板１０１のレイアウト上、ボス３２を所定箇所に通すことができない場合にもＦＰＣ１０４を係止させることができる。
【００２９】
なお、係止部及び被係止部は、ＦＣＰの中心軸に関して左右対称とする必要はなく、回路基板のレイアウトに応じて位置や大きさを変更してもよい。また、回路基板に形成される第２被係止部は、孔ではなく一対の凸部や切り欠きとしてもよい。回路基板に第２被係止部として一対の凸部を設けた場合には、一対の凸部により機器筐体に設けられたボスを挟むようにすればよい。凸部は絶縁膜を延ばして形成するのではなく、別部材をＦＰＣに貼り付けることとしてもよい。また、コネクタの端子間の距離や極数、係止部として使用する電子部品の種類、ＦＰＣの形状等も任意である。
【符号の説明】
【００３０】
１，１０１    回路基板
１２   孔（第２被係止部）
２，１０２    コネクタ
３     機器筐体
３２   ボス
４，１０４    フレキシブル配線基板（ＦＰＣ）
４ａ   第１配線領域
４ｂ   第２配線領域
４２，１４２  凸部（被係止部）
４３   絶縁膜
４４   複数の配線
４５   端子（接続端子）
４６   切り欠き（被係止部）
４７   孔（被係止部）
１０６ 電子部品（係止部）
１３１ ピン（係止部）
【図１】
2011054455.tif 000003
【図２】
2011054455.tif 000004
【図３】
2011054455.tif 000005
【図４】
2011054455.tif 000006
【図５】
2011054455.tif 000007
【図６】
2011054455.tif 000008
【図７】
2011054455.tif 000009
【図８】
2011054455.tif 000010
【図９】
2011054455.tif 000011
【図１０】
2011054455.tif 000012
【図１１】
2011054455.tif 000013
【図１２】
2011054455.tif 000014